(57)【要約】【課題】特許文献１の情報処理システムでは、携帯電話のユーザは、退避したデータを保存先から十分に高速に取得しているとは限らないという課題があった。【解決手段】システムは、基地局が自セル配下の端末と接続され、前記端末は、記憶手段の空き容量が所定値以下か否かを判定する判定部と、前記判定部により前記空き容量が前記所定値以下と判定された場合には、保存するデータを自身が在圏するセルの基地局に送信する送信部と、前記送信後、所定の第１の信号が入力されると、前記データを要求するメッセージを前記基地局に送信する要求部と、前記メッセージに応じて前記基地局から返信された前記データを受信する取得部と、を備え、前記基地局は、端末から受信したデータを記憶する保管部と、前記データを要求するメッセージを受信すると、前記データを前記端末に送信する配信部とを備える。【選択図】      図２０
2016005047.tif 000002
【特許請求の範囲】
【請求項１】
端末に備わる記憶手段の空き容量が所定値以下か否かを判定する判定部と、
前記判定部により前記空き容量が前記所定値以下と判定された場合には、保存するデータを自身が在圏するセルの基地局に送信する送信部と、
前記送信後、所定の第１の信号が入力されると、前記データを要求するメッセージを前記基地局に送信する要求部と、
前記メッセージに応じて前記基地局から返信された前記データを受信する取得部と、
を備えることを特徴とする端末。
【請求項２】
前記セルに在圏したときに送信した位置登録メッセージに応じて前記基地局から返信されたメッセージが所定のメッセージである場合に、所定の第２の信号を出力する位置登録部を備え、
前記送信部は、前記所定の第２の信号が入力されると、前記データを前記基地局に送信する、
ことを特徴とする請求項１に記載の端末。
【請求項３】
端末から受信したデータを記憶する保管部と、
前記データを要求するメッセージを受信すると、前記保管部が記憶する前記データを前記端末に送信する配信部と、を備える、
ことを特徴とする基地局。
【請求項４】
受信した位置登録メッセージから抽出した端末識別子が所定の識別子であるときには、所定のメッセージを前記端末に出力する登録許可部を備える、
ことを特徴とする請求項３に記載の基地局。
【請求項５】
前記所定の識別子は、前記基地局を所有する者が保持する端末の識別子である、
ことを特徴とする請求項３乃至４のいずれか１項に記載の基地局。
【請求項６】
基地局が自セル配下の端末と接続され、
前記端末は、請求項１乃至２のいずれか１項に記載の端末であり、
前記基地局は、請求項３乃至５のいずれか１項に記載の基地局である、
ことを特徴とするシステム。
【請求項７】
請求項４乃至５のいずれか１項に記載の前記基地局の前記保管部と接続されたサーバを備え、
前記保管部は、前記登録許可部が抽出した前記端末識別子を前記サーバに出力し、前記サーバから入力された前記データを記憶し、
前記サーバは、前記端末識別子が入力されると、前記端末識別子と関連づけて記憶している所定のデータを前記保管部に出力する、
ことを特徴とする請求項６に記載のシステム。
【請求項８】
複数台の前記基地局を備え、
前記サーバは、所定の前記基地局の前記保管部に前記所定のデータを出力する、
ことを特徴とする請求項７に記載のシステム。
【請求項９】
前記基地局の前記保管部は、自身が備わる前記基地局を示す基地局識別子を前記端末識別子と共に前記サーバに出力し、
前記サーバは、前記基地局識別子を一定回数以上出力した前記保管部に対して、前記所定のデータを出力する、
ことを特徴とする請求項７に記載のシステム。
【請求項１０】
端末に備わる記憶手段の空き容量を判定する判定ステップと、
前記判定ステップにより前記空き容量が所定値以下と判定された場合には、前記端末が、保存するデータを自身が在圏するセルの基地局に送信する送信ステップと、
前記端末から受信した前記データを前記基地局が記憶する保管ステップと、
前記送信後、所定の第１の信号が入力されると、前記端末が前記データを要求するメッセージを前記基地局に送信する要求ステップと、
前記データを要求するメッセージを受信すると、前記基地局が前記保管ステップで記憶した前記データを前記端末に送信する配信ステップと、
前記メッセージに応じて前記基地局から返信された前記データを前記端末が受信する取得ステップと、を有する、
ことを特徴とするデータ保存方法。
【発明の詳細な説明】
【技術分野】
【０００１】
本発明は、端末、基地局、システム、データ保存方法に関し、特に、空き容量によってデータの保存先を変更する端末、基地局、システム、データ保存方法に関する。
【背景技術】
【０００２】
近年、一般的な携帯端末は高機能化しており、アプリケーションや画像データ等、様々なデータが保存される。その為、携帯端末の空き容量が不足し、携帯端末のユーザは（例えば、写真を撮影しても）データを保存できない場合がある。データを保存できない場合、携帯端末のユーザは、既存のデータやアプリケーションを削除して空き容量を確保しなければならず、一般的な携帯端末は利便性を必ずしも維持できていないという課題があった。
【０００３】
上述の課題を解決する技術として、以下の特許文献１が開示されている。図１は、特許文献１の情報処理システムの構成例を示す図である。
【０００４】
特許文献１の情報処理システムは、図１に示されるように、移動通信網Ｎを介して、携帯電話８０と、保存用サーバ９０と、が接続されている。携帯電話８０は、自身の有する格納手段の空き容量が所定値以下と判定した場合、取得したコンテンツデータの保存先を保存用サーバ９０と決定する。携帯電話８０は、コンテンツデータの保存先を保存用サーバ９０と決定した場合には、図１の（イ）に示されるように、当該コンテンツデータを保存用サーバ９０に送信する。保存用サーバ９０は、コンテンツデータを自身に備わる格納手段に格納する。携帯電話８０のユーザは、図１の（ロ）に示されるように、必要に応じてコンテンツデータを保存用サーバ９０から取得して使用する。
【０００５】
上述の構成や動作の通り、特許文献１の情報処理システムは、空き容量が不足しているときには、取得したコンテンツデータを退避的にサーバ９０に保存する為、携帯電話のユーザが空き容量を確保する必要性をなくし、ユーザの利便性を維持することができる。
【先行技術文献】
【特許文献】
【０００６】
【特許文献１】特開２００４−１１２２３３号公報
【発明の概要】
【発明が解決しようとする課題】
【０００７】
しかし、特許文献１の情報処理システムでは、携帯電話のユーザは、退避したデータを保存先から十分、高速に取得できないという課題があった。なぜならば、特許文献１の情報処理システムの携帯電話は、移動通信網Ｎを介した保存用サーバ９０、すなわち、携帯電話からいくつかの通信装置を介して接続される装置にデータを退避し、その保存用サーバ９０からデータを取得するからである。上述の通信装置は、例えば、ＭＭＥ（Ｍｏｂｉｌｉｔｙ  Ｍａｎａｇｅｍｅｎｔ  Ｅｎｔｉｔｙ）や交換機等である。
【０００８】
本発明は、上記課題を解決する端末、基地局、システム、データ保存方法を提供することを目的とする。
【課題を解決するための手段】
【０００９】
上記目的を達成するために、本発明の端末は、端末に備わる記憶手段の空き容量が所定値以下か否かを判定する判定部と、前記判定部により前記空き容量が前記所定値以下と判定された場合には、保存するデータを自身が在圏するセルの基地局に送信する送信部と、前記送信後、所定の第１の信号が入力されると、前記データを要求するメッセージを前記基地局に送信する要求部と、前記メッセージに応じて前記基地局から返信された前記データを受信する取得部と、を備える。
【００１０】
上記目的を達成するために、本発明の基地局は、端末から受信したデータを記憶する保管部と、前記データを要求するメッセージを受信すると、前記保管部が記憶する前記データを前記端末に送信する配信部と、を備える。
【００１１】
上記目的を達成するために、本発明のシステムは、基地局が自セル配下の端末と接続され、前記端末は、端末に備わる記憶手段の空き容量が所定値以下か否かを判定する判定部と、前記判定部により前記空き容量が前記所定値以下と判定された場合には、保存するデータを自身が在圏するセルの基地局に送信する送信部と、前記送信後、所定の第１の信号が入力されると、前記データを要求するメッセージを前記基地局に送信する要求部と、前記メッセージに応じて前記基地局から返信された前記データを受信する取得部と、を備える端末であり、前記基地局は、端末から受信したデータを記憶する保管部と、前記データを要求するメッセージを受信すると、前記保管部が記憶する前記データを前記端末に送信する配信部と、を備える基地局である。
【００１２】
上記目的を達成するために、本発明のデータ保存方法は、端末に備わる記憶手段の空き容量を判定する判定ステップと、前記判定ステップにより前記空き容量が所定値以下と判定された場合には、前記端末が、保存するデータを自身が在圏するセルの基地局に送信する送信ステップと、前記端末から受信した前記データを前記基地局が記憶する保管ステップと、前記送信後、所定の第１の信号が入力されると、前記端末が前記データを要求するメッセージを前記基地局に送信する要求ステップと、前記データを要求するメッセージを受信すると、前記基地局が前記保管ステップで記憶した前記データを前記端末に送信する配信ステップと、前記メッセージに応じて前記基地局から返信された前記データを前記端末が受信する取得ステップと、を有する。
【発明の効果】
【００１３】
本発明によれば、端末のユーザは、退避したデータを保存先から、より高速に取得することができる。
【図面の簡単な説明】
【００１４】
【図１】特許文献１の情報処理システムの構成例を示す図である。
【図２】本発明の第１の実施の形態におけるシステムの構成例を示す図である。
【図３】本発明の第１の実施の形態におけるシステムに備わる端末の構成例を示す図である。
【図４】本発明の第１の実施の形態におけるシステムに備わる基地局の構成例を示す図である。
【図５】本発明の第１の実施の形態におけるシステムの動作（空き容量が所定値以下か否かを判定する動作）を説明する為の図である。
【図６】本発明の第１の実施の形態におけるシステムの動作（空き容量が所定値以下であるとき、端末が基地局にデータを退避する動作）を説明する為の図である。
【図７】本発明の第１の実施の形態におけるシステムの動作（退避したデータを端末が基地局から取得する動作）を説明する為の図である。
【図８】本発明の第２の実施の形態におけるシステムの構成例を示す図である。
【図９】本発明の第２の実施の形態におけるシステムに備わる端末の構成例を示す図である。
【図１０】本発明の第２の実施の形態におけるシステムに備わる基地局の構成例を示す図である。
【図１１】本発明の第２の実施の形態におけるシステムの動作を説明する為の図である。
【図１２】本発明の第２の実施の形態におけるシステムの動作（記憶するデータの複製をサーバに保存しておき、リセット後にサーバから取得する基地局の動作）を説明する為の図である。
【図１３】本発明の第３の実施の形態におけるシステムの構成例を示す図である。
【図１４】本発明の第３の実施の形態におけるシステムに備わる基地局の構成例を示す図である。
【図１５】本発明の第３の実施の形態におけるシステムの動作を説明する為の図である。
【図１６】本発明の第４の実施の形態におけるシステムの構成例を示す図である。
【図１７】本発明の第４の実施の形態におけるシステムの動作を説明する為の図である。
【図１８】本発明の第５の実施の形態におけるシステムの構成例を示す図である。
【図１９】本発明の第５の実施の形態におけるシステムの動作を説明する為の図である。
【図２０】本発明の第６の実施の形態におけるシステムの構成例を示す図である。
【発明を実施するための形態】
【００１５】
次に本発明の実施形態について、図面を参照して詳細に説明する。
【００１６】
≪第１の実施の形態≫
[概要]
図２は、本発明の第１の実施の形態におけるシステムの構成例を示す図である。
【００１７】
本発明の第１の実施の形態におけるシステムでは、図２に示されるように、端末１は、データを保存する空き容量が足りない時に、基地局２にデータを一時的に保存する。端末１は、空き容量の不足が解消されたときには、基地局２から上述のデータを取得する。
【００１８】
本実施形態のシステムでは、端末は、（幾つかの通信装置を介して接続する）保存用サーバ９０ではなく、直接接続する基地局２にデータを保存し、その基地局２からデータを取得する。その結果、端末のユーザは、より高速にデータを保存先（基地局２）から取得することができる。
【００１９】
以下に、本発明の第１の実施の形態におけるシステムの構成や機能、動作について説明する。
【００２０】
［構成の説明］
まず、本発明の第１の実施の形態におけるシステムの構成と機能について説明する。
【００２１】
（１）本発明の第１の実施の形態におけるシステムの構成
本実施形態のシステムは、図２に示されるように、端末１と、基地局２と、移動通信網３と、サーバ４と、を備える。移動通信網３は、一般的なコアネットワークを備える。
【００２２】
端末１は、基地局２と無線回線を介して接続され、基地局２は、移動通信網３と有線回線を介して接続される。サーバ４は、移動通信網３と有線回線を介して接続される。
【００２３】
（２）端末１の機能
端末１は、一般的なスマートフォンと同様、基地局２と通信を行う機能を備える。具体的には、端末１は、３ＧＰＰ（３ｒｄ  Ｇｅｎｅｒａｔｉｏｎ  Ｐａｒｔｎｅｒｓｈｉｐ  Ｐｒｏｊｅｃｔ）に準拠する無線通信機能を備える。
【００２４】
端末１は、自身に備わるメモリの空き容量を周期的に測定する測定機能を備える。端末１は、データを保存するとき、測定機能によって測定されたメモリの空き容量が所定値以下である場合には、保存するデータを基地局２に送信する。空き容量が不足しているので、保存するデータを基地局２に退避する為である。なお、端末１は、データを保存するとき、メモリの空き容量が所定値より大きい場合には、保存するデータを、自身に備わるメモリに記憶する。
【００２５】
端末１は、保存するデータ（以下、「退避データ」という）を基地局２に送信した後、メモリの空き容量が所定値以下でなくなった場合には、すなわち空き容量の不足が解消されたときには、退避データを要求するメッセージを基地局２に送信する。端末１は、退避データを基地局２から受信すると、そのデータを自身に備わるメモリに記憶する。
【００２６】
（３）基地局２の機能
基地局２は、３ＧＰＰに準拠する無線通信機能を備え、端末１と通信を行う。
【００２７】
基地局２は、上述の退避データを端末１から受信すると、受信した退避データを自身に備わるメモリに記憶する。
【００２８】
また、基地局２は、退避データを要求するメッセージ（以下、「要求メッセージ」という）を端末１から受信すると、自身に備わるメモリから端末１の退避データを読み出し、端末１に送信する。
【００２９】
（４）サーバ４の機能
サーバ４は、ストレージを備え、データを受信すると、そのデータをストレージに記憶する。
【００３０】
（５）端末１の構成
（５−１）端末１の構成
図３は、本発明の第１の実施の形態におけるシステムに備わる端末１の構成例を示す図である。
【００３１】
端末１は、上述の「（２）端末１の機能」を実現する為に、図３に示される通り、判定部１０と、入力部１１と、送信部１２と、通信部１３と、記憶部１４と、要求部１５と、取得部１６と、を備える。
【００３２】
送信部１２は、入力部１１と、判定部１０と、通信部１３と、記憶部１４に接続される。要求部１５は、判定部１０と、送信部１２と、通信部１３に接続される。また、取得部１６は、通信部１３と記憶部１４に接続される。通信部１３は、無線回線に接続される。
【００３３】
（５−２）端末１を構成する各部位の機能
（５−２−１）判定部１０の機能
判定部１０は、端末１に備わるメモリの空き容量を計測し、計測した空き容量が所定値以下であるかを判別する。判定部１０は、計測した空き容量が所定値以下である場合、空き容量なしを示す値を送信部１２と要求部１５に出力する。判定部１０は、計測した空き容量が所定値より大きい場合、空き容量ありを示す値を送信部１２と要求部１５に出力する。所定値は、端末１のユーザによって判定部１０に設定される。
【００３４】
判定部１０は、一定周期毎に、上述の機能を実行する。一定周期は、端末１のユーザによって判定部１０に設定される。
【００３５】
（５−２−２）入力部１１の機能
入力部１１は、一般的なタッチパネルとカメラを備える。入力部１１は、端末１のユーザによって、タッチパネル上の所定のキーが押下されると、カメラによって撮影された画像データを送信部１２に出力する。所定のキーは、撮影されたデータを保存する為のキーであり、端末１の製造者によって設定される。画像データは、保存するデータなので、以下、「保存データ」という。
【００３６】
（５−２−３）送信部１２の機能
送信部１２は、空き容量なしを示す値、又は空き容量ありを示す値（以下、「判定値」と総称する）が判定部１０から入力される度に、それを記憶する。送信部１２は、入力部１１から保存データが入力されると、直近に記憶した判定値を読み出し、読み出した判定値が空き容量なしを示す値か否かを判別する。
【００３７】
送信部１２は、判定値が空き容量なしを示す値であった場合に、入力された保存データを通信部１３に出力する。空き容量が不足しているので、基地局２に退避する為である。なお、送信部１２は、上述のデータに端末１を示す識別番号、具体的には端末１を示すＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）を付与して出力する。基地局２が端末１のデータと認識できるようにする為である。なお、送信部１２は、端末１に実装されているＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）カードから端末１のＩＭＳＩを取得して、上述のデータに付与してもよい。
【００３８】
さらに、送信部１２は、保存データを通信部１３に出力すると、要求部１５に確認開始を示す信号を出力する。要求部１５に、メモリの空き容量が所定値以下でなくなったか、すなわち空き容量が不足しなくなったかを確認させ、不足しなくなったときに、基地局２に退避したデータを要求するメッセージを送信させる為である。
【００３９】
一方、送信部１２は、画像データが入力されたときに、直近に記憶した判定値が空き容量ありを示す値であった場合には、入力された画像データを記憶部１４に保存する。
【００４０】
（５−２−４）通信部１３の機能
通信部１３は、３ＧＰＰに準拠して無線通信を行う機能を備える。具体的には、通信部１３は、３ＧＰＰに準拠し、入力されたデータやメッセージを無線信号として無線回線に出力する。通信部１３は、受信した無線信号から３ＧＰＰに準拠してデータを抽出し、抽出したデータを取得部１６に出力する。
【００４１】
（５−２−５）記憶部１４について
記憶部１４は、メモリである。記憶部１４は、ＲＡＭ（Ｒａｎｄｏｍ  Ａｃｃｅｓｓ  Ｍｅｍｏｒｙ）で構成されていてもよい。
【００４２】
（５−２−６）要求部１５の機能
要求部１５は、判定部１０から上述の判定値が入力されると、その値を記憶する。要求部１５は、確認開始を示す信号が送信部１２から入力されると、直近に記憶した判定値が空き容量ありを示す値であるかを判定する。要求部１５は、直近に記憶した値が空き容量ありを示す値である場合に、退避データを要求するメッセージ（すなわち、要求メッセージ）を通信部１３に出力する。このとき、要求部１５は、要求メッセージに、端末１を示す識別番号、例えばＩＭＳＩを含めて出力する。基地局２が、端末１からの要求メッセージと判別できるようにする為である。ＩＭＳＩは、端末１の製造者によって予め要求部１５に設定されてもよい。
【００４３】
（５−２−７）取得部１６の機能
取得部１６は、通信部１３からデータが入力されると、そのデータを記憶部１４に保存する。
【００４４】
なお、上述の通信部１３は、電子回路とＦＰＧＡ（Ｆｉｅｌｄ−Ｐｒｏｇｒａｍｍａｂｌｅ  Ｇａｔｅ  Ａｒｒａｙ）、ＤＳＰ（Ｄｉｇｉｔａｌ  Ｓｉｇｎａｌ  Ｐｒｏｃｅｓｓｏｒ）を用いて実現することができる。記憶部１４は、ＲＡＭ等のメモリを用いて実現することができる。さらに、入力部１１、送信部１２、要求部１５、及び取得部１６は、電子回路とＲＡＭを用いて実現することができる。判定部１０は、端末を制御する一般的なソフトウエアを用いて実現することができる。
【００４５】
（６）基地局２の構成
（６−１）基地局２の構成
図４は、本発明の第１の実施の形態におけるシステムに備わる基地局２の構成例を示す図である。
【００４６】
基地局２は、上述の「（３）基地局２の機能」を実現する為に、図４に示されるように、通信部２１と、保管部２２と、配信部２３と、を備える。
【００４７】
配信部２３は、通信部２１と保管部２２に接続される。通信部２１は、無線回線を介して、端末１の通信部１３と接続される。
【００４８】
（６−２）基地局２を構成する各部位の機能
（６−２−１）通信部２１の機能
通信部２１は、３ＧＰＰに準拠する無線通信機能を備える。具体的には、通信部２１は、３ＧＰＰに準拠して、入力されたデータやメッセージを無線信号として無線回線に出力する。通信部２１は、受信した無線信号から３ＧＰＰに準拠してデータ、又は要求メッセージを抽出する。通信部２１は、抽出したデータについては保管部２２に出力し、要求メッセージについては配信部２３に出力する。
【００４９】
（６−２−２）保管部２２について
保管部２２は、ＲＡＭ等のメモリを備える。保管部２２は、データとＩＭＳＩが入力されると、そのデータとＩＭＳＩとを関連づけ、自身に備わるメモリに記憶する。
【００５０】
保管部２２は、ＩＭＳＩのみが入力されたときには、それに関連づけて記憶しているデータを配信部２３に出力する。
【００５１】
（６−２−３）配信部２３の機能
配信部２３は、上述の要求メッセージを通信部２１から受信すると、要求メッセージからＩＭＳＩを抽出し、保管部２２に出力する。
【００５２】
配信部２３は、保管部２２からデータが入力されると、入力されたデータを通信部２１に出力する。
【００５３】
なお、上述の通信部２１は、電子回路とＦＰＧＡ、ＤＳＰを用いて実現することができる。配信部２３と保管部２２は、電子回路とＲＡＭを用いて実現することができる。
【００５４】
［動作の説明］
図５〜図８は、本発明の第１の実施の形態におけるシステムの動作を説明する為の図である。図５〜８を用いて、本実施形態のシステムの詳細な動作を以下に説明する。
【００５５】
（１）空き容量の判定動作
（１−１）動作概要
まず、端末１は、一定周期毎に、自身に備わるメモリ（記憶部１４）の空き容量を測定し、空き容量が所定値以下か否かを判別する。
【００５６】
（１−２）動作詳細
上述の動作は、端末１の判定部１０、送信部１２、及び要求部１５が以下のＳ１００〜Ｓ１０４を実施することで実現される。
【００５７】
まず、端末１の判定部１０は、所定のタイミングになると、端末１に備わるメモリ（記憶部１４）の空き容量を計測し、図５に示されるように、計測した空き容量が所定値以下であるかを判別する（Ｓ１００）。
【００５８】
所定のタイミングは、一定間隔のタイミングであり、端末１のユーザによって設定される。なお、判定部１０は、周知のメモリ監視アプリケーションを用いて空き容量を計測してもよい。また、判定部１０は、端末１がＡｎｄｒｏｉｄ（登録商標）を実装しているのであれば、ｆｌａｓｈ．ｓｙｓｔｅｍパッケージにあるｓｙｓｔｅｍクラスのプロパティでメモリの空き容量を計測してもよい。
【００５９】
次に、端末１の判定部１０は、計測した空き容量が所定値以下である場合には、空き容量なしを示す判定値を送信部１２と要求部１５に出力する（Ｓ１０１）。
【００６０】
一方、端末１の判定部１０は、計測した空き容量が所定値より大きい場合には、空き容量ありを示す判定値を送信部１２と要求部１５に出力する（Ｓ１０２）。
【００６１】
次に、送信部１２は、判定値（空き容量なしを示す判定値、又は、空き容量ありを示す判定値）が判定部１０から入力されると、記憶する（Ｓ１０３）。
【００６２】
同様に、要求部１５は、判定値（空き容量なしを示す判定値、又は、空き容量ありを示す判定値）が判定部１０から入力されると、記憶する（Ｓ１０４）。
【００６３】
その後、判定部１０は、所定のタイミングになると、上述のＳ１００を実施する。その結果、端末１は、所定のタイミング毎、すなわち一定間隔毎に上述のＳ１００〜Ｓ１０４を繰り返し実施していく。
【００６４】
（２）端末１のデータ退避動作
（２−１）データ退避動作の概要
次に、端末１は、データを保存するとき、メモリ（記憶部１４）の空き容量が所定値以下である場合には、すなわち空き容量が不足している場合には、保存するデータを基地局２に送信する。基地局２にデータを退避する為である。基地局２は、端末１からデータ（すなわち、退避データ）を受信すると、そのデータを保存する。
【００６５】
（２−２）動作詳細
上述のデータ退避動作は、端末１と基地局２の各部位が以下のＳ１１０〜Ｓ１１７を実施することで実現される。
【００６６】
まず、端末１のユーザが、入力部１１に備わるカメラによって撮影した画像データを保存する為、タッチパネルの所定のキーを押下すると、図６に示されるように、入力部１１は、上述の画像データを送信部１２に出力する（Ｓ１１０）。
【００６７】
送信部１２に出力された画像データは、保存するデータなので、以下、「保存データ」という。
【００６８】
次に、端末１の送信部１２は、保存データが入力部１１から入力されると、直近に記憶した判定値を読み出す（Ｓ１１１）。
【００６９】
次に、送信部１２は、読み出した判定値が空き容量なしを示す値であるか否かを判別する（Ｓ１１２）。すなわち、送信部１２は、空き容量が不足しているか否かを判別するのである。
【００７０】
次に、送信部１２は、判定値が空き容量なしを示す値であった場合（Ｓ１１２でＹｅｓの場合）、入力された保存データを通信部１３に出力する（Ｓ１１３）。
【００７１】
空き容量が不足しているので、保存データを基地局２に退避する為である。なお、送信部１２は、上述のＳ１１３において、保存データに端末１のＩＭＳＩを付与して出力するものとする。
【００７２】
次に、端末１の通信部１３は、３ＧＰＰに準拠して、入力された保存データとＩＭＳＩを無線信号として基地局２の通信部２１に送信する（Ｓ１１４）。
【００７３】
次に、基地局２の通信部２１は、無線信号を受信すると、受信した無線信号から３ＧＰＰに準拠してデータとＩＭＳＩを抽出し、抽出したデータとＩＭＳＩを保管部２２に出力する（Ｓ１１５）。
【００７４】
次に、基地局２の保管部２２は、データとＩＭＳＩが入力されると、入力されたデータとＩＭＳＩとを関連づけて、自身に備わるメモリに記憶する（Ｓ１１６）。
【００７５】
上述のＳ１１０〜Ｓ１１６の動作により、保存データが基地局２に退避される。
【００７６】
一方、上述のＳ１１２において、送信部１２は、判定値が空き容量ありを示す値であった場合（Ｓ１１２でＮｏの場合）には、入力されたデータを記憶部１４に記憶する（Ｓ１１７）。空き容量が不足していないからである。
【００７７】
なお、送信部１２は、上述のＳ１１３の後に確認開始を示す信号を要求部１５に出力する（Ｓ１１８）。
【００７８】
後述の「（３−２）データ取得動作の詳細」で説明するが、要求部１５に、空き容量の不足が解消されたかを確認させる為である。
【００７９】
（３）空き容量の不足が解消されたときに、退避したデータを基地局２から取得する端末１の動作
（３−１）データ取得動作の概要
次に、端末１は、空き容量の不足が解消されたときには、基地局２に退避したデータを取得する。
【００８０】
（３−２）データ取得動作の詳細
上述のデータ取得動作は、端末１と基地局２の各部位が以下のＳ１２０〜Ｓ１３０を実施することで実現される。
【００８１】
まず、端末１の要求部１５は、上述のＳ１１８によって、確認開始を示す信号が送信部１２から入力されると、図７に示されるように、直近に記憶した判定値を読み出す（Ｓ１２０）。
【００８２】
次に、要求部１５は、判定値が空き容量ありを示す値であるか否か、すなわち空き容量の不足が解消されたか否かを判別する（Ｓ１２１）。
【００８３】
要求部１５は、判定値が空き容量ありを示す値でない場合（Ｓ１２１でＮｏの場合）、すなわち、空き容量の不足が解消されていない場合には、上述のＳ１２０、Ｓ１２１を繰り返し、空き容量の不足が解消されるまで待つ。
【００８４】
要求部１５は、上述のＳ１２１で、判定値が空き容量ありを示す値であるとき（Ｓ１２１でＹｅｓの場合）、すなわち、空き容量の不足が解消されたときは、データを要求するメッセージ（すなわち、要求メッセージ）を通信部１３に出力する（Ｓ１２２）。
【００８５】
このとき、要求部１５は、端末１を示す識別番号（ＩＭＳＩ）を要求メッセージに含めて出力する。
【００８６】
次に、端末１の通信部１３は、上述のＳ１２２によって、要求メッセージが入力されると、３ＧＰＰに準拠して、要求メッセージを無線信号として基地局２の通信部２１に送信する（Ｓ１２３）。
【００８７】
次に、基地局２の通信部２１は、受信した無線信号から要求メッセージを３ＧＰＰに準拠して抽出すると、受信した要求メッセージを配信部２３に出力する（Ｓ１２４）。
【００８８】
次に、基地局２の配信部２３は、入力された要求メッセージからＩＭＳＩを抽出し、そのＩＭＳＩを保管部２２に出力する（Ｓ１２５）。
【００８９】
次に、保管部２２は、配信部２３からＩＭＳＩが入力されると、それに関連づけて保存しているデータ（退避したデータ）を配信部２３に出力する（Ｓ１２６）。
【００９０】
次に、配信部２３は、保管部２２から入力されたデータを通信部２１に出力する（Ｓ１２７）。
【００９１】
次に、通信部２１は、配信部２３から入力されたデータを無線信号として、端末１の通信部１３に送信する（Ｓ１２８）。
【００９２】
次に、端末１の通信部１３は、受信した無線信号からデータを３ＧＰＰに準拠して抽出し、抽出したデータを取得部１６に出力する（Ｓ１２９）。
【００９３】
取得部１６は、通信部１３からデータが入力されると、そのデータを記憶部１４に保存する（Ｓ１３０）。
【００９４】
端末１は、空き容量の不足が解消されたときには、上述のＳ１２０〜Ｓ１３０によって、基地局２に退避したデータを取得することができる。
【００９５】
なお、本実施形態のシステムに備わる端末１や基地局２は１台に限らない。本実施形態のシステムは、２台以上の端末１や基地局２を備えてもよい。その場合、各端末１のＩＭＳＩは異なるものとする。
【００９６】
［効果の説明］
本実施形態によれば、端末のユーザは、退避したデータを保存先から、より高速に取得することができる。
【００９７】
なぜならば、本実施形態のシステムでは、端末は、（幾つかの通信装置を介して接続する）保存用サーバ９０にデータを退避するのではなく、直接接続する基地局２にデータを退避し、その基地局から退避したデータを取得するからである。
【００９８】
≪第２の実施の形態≫
次に、本発明の第２の実施の形態について説明する。
【００９９】
第２の実施形態のシステムにおける基地局は、自セルに在圏した端末から位置登録メッセージが通知されると、受け入れ可能な端末かを判別する。基地局は、受け入れ可能な端末と判別すると、その端末にのみデータの退避を許可する。許可を受けた端末は、第１の実施形態の端末と同様に、空き容量が不足しているときに、データを退避する。
【０１００】
特定の端末のみがデータを基地局に退避することになるので、基地局は、退避されるデータ量が第１の実施形態のシステムよりも少なくなり、実装するメモリの量を抑えることができる。
【０１０１】
以下に、第２の実施の形態のシステムの構成と動作について説明する。図８は、本発明の第２の実施の形態におけるシステムの構成例を示す図である。
【０１０２】
［構成の説明］
（１）第２の実施形態のシステムの構成
第２の実施形態のシステムは、図８に示されるように、端末１と基地局２の代わりに、端末５と基地局６を備える。基地局６は、フェムトセル用の基地局であってもよい。端末５は、基地局６と無線回線を介して接続される。
【０１０３】
（２）端末５の機能
端末５は、一般的な位置登録処理を行う。すなわち、端末５は、基地局６のセルに在圏すると、自身に対応する識別子ＩＭＳＩを含む周知の位置登録メッセージを基地局６に送信する。上述の位置登録メッセージは、３ＧＰＰに規定されている公知のＲｅｇｉｓｔｅｒ  ＲｅｑｕｅｓｔやＬｏｃａｔｉｏｎ  Ｕｐｄａｔｅ  Ｒｅｑｕｅｓｔであってもよい。
【０１０４】
端末５は、退避を許可することを示すメッセージを基地局６から受信すると、第１の実施形態の端末１と同様に、メモリの空き容量が所定値以下である場合に、保存するデータを基地局２に送信する。
端末５は、退避を許可しないことを示すメッセージを基地局６から受信すると、メモリの空き容量が所定値以下であっても、データを基地局２に送信しない。
【０１０５】
（３）基地局６の機能
基地局６には、加入者情報リストが本実施形態のシステムの管理者によって設定される。加入者情報リストは、基地局６が受け入れ可能な端末のＩＭＳＩを示したリストである。
【０１０６】
基地局６は、位置登録メッセージを端末５から受信すると、そのメッセージからＩＭＳＩを抽出し、端末５が受け入れ可能な端末か否かを判別する。具体的には、基地局６は、抽出したＩＭＳＩが加入者情報リスト上に記載されているかを判別する。
【０１０７】
基地局６は、端末１が受け入れ可能な特定の端末である場合、すなわち、抽出したＩＭＳＩが加入者情報リスト上に記載されている場合には、退避を許可することを示すメッセージを端末１に送信する。基地局は、端末５が受け入れ可能な特定の端末でない場合には、退避を許可しないことを示すメッセージを端末１に送信する。
【０１０８】
（４）端末５の構成
（４−１）端末５の構成
図９は、本発明の第２の実施の形態におけるシステムに備わる端末５の構成例を示す図である。
【０１０９】
端末５は、上述の「（２）端末５の機能」を実現する為に、図９に示される通り、位置登録部５０を備え、さらに、端末５は、送信部１２の代わりに、送信部５１を備える。位置登録部５０は、送信部５１に接続される。
【０１１０】
（４−２）端末５の位置登録部５０と送信部５１の機能
（４−２−１）位置登録部５０の機能
端末５の位置登録部５０は、一般的な位置登録機能を備える。すなわち、位置登録部５０は、端末５が基地局６のセルに在圏すると、端末５を示すＩＭＳＩを含む周知の位置登録メッセージを通信部１３に出力する。
【０１１１】
位置登録部５０は、通信部１３からメッセージが入力されると、入力されたメッセージが、退避を許可することを示すメッセージであるか否かを判別する。位置登録部５０は、入力されたメッセージが、退避を許可することを示すメッセージである場合には、退避許可を示す信号を送信部５１に出力する。位置登録部５０は、入力されたメッセージが、退避を許可することを示すメッセージでない場合には、何もせず、次にメッセージが入力されるのを待つ。
【０１１２】
（４−２−２）送信部５１の機能
送信部５１は、退避許可を示す信号が入力されると、判定値が空き容量なしを示す値である場合には、保存データを通信部１３に出力する。なお、送信部５１は、退避許可を示す信号が入力されるまでは、判定値が空き容量なしを示す値である場合であっても、保存データを通信部１３に出力せず、破棄する。
【０１１３】
（５）基地局６の構成
（５−１）基地局６の構成
図１０は、本発明の第２の実施の形態におけるシステムに備わる基地局６の構成例を示す図である。
【０１１４】
基地局６は、上述の「（３）基地局６の機能」を実現する為に、図１０に示されるように、登録許可部６０を備え、さらに、基地局６は、通信部２１の代わりに、通信部６１を備える。通信部６１は、登録許可部６０と接続される。
【０１１５】
（５−２）基地局６を構成する各部位の機能
（５−２−１）通信部６１の機能
通信部６１は、周知の位置登録メッセージを受信すると、受信した位置登録メッセージを登録許可部６０に出力する。通信部６１は、登録許可部６０から入力されたメッセージ（退避を許可することを示すメッセージや退避を許可しないことを示すメッセージ）を端末５に送信する。
【０１１６】
（５−２−２）登録許可部６０の機能
登録許可部６０は、周知の位置登録メッセージが通信部６１から入力されると、そのメッセージからＩＭＳＩを抽出し、抽出したＩＭＳＩが加入者情報リスト上に記載されているかを判別する。加入者情報リストは、本実施形態のシステムの管理者によって登録許可部６０に設定される。
【０１１７】
登録許可部６０は、抽出したＩＭＳＩがホワイトリスト上に記載されている場合には、退避を許可することを示すメッセージを通信部６１に出力する。登録許可部６０は、抽出したＩＭＳＩが加入者情報リスト上に記載されていない場合には、退避を許可しないことを示すメッセージを通信部６１に出力する。
【０１１８】
上述した以外の構成や機能は、第１の実施の形態におけるシステムと同じであるので、同一の符号を付して説明を省略する。
【０１１９】
[動作の説明]
次に、本実施形態のシステムの動作を説明する。図１１は、本発明の第２の実施の形態におけるシステムの動作を説明する為の図である。
【０１２０】
（１）第２の実施形態のシステムの動作
まず、端末５の位置登録部５０は、図１１に示されるように、端末５が基地局６のセルに在圏すると、一般的な位置登録機能により、端末５のＩＭＳＩを含む位置登録メッセージを通信部１３に出力する（Ｓ２００）。
【０１２１】
次に、端末５の通信部１３は、３ＧＰＰに準拠して、位置登録部５０から入力された位置登録メッセージを無線信号として基地局６に送信する（Ｓ２０１）。
【０１２２】
次に、基地局６の通信部６１は、無線信号を受信すると、３ＧＰＰに準拠して無線信号から位置登録メッセージを抽出し、抽出した位置登録メッセージを登録許可部６０に出力する（Ｓ２０２）。
【０１２３】
次に、基地局６の登録許可部６０は、位置登録メッセージが通信部６１から入力されると、そのメッセージからＩＭＳＩを抽出する（Ｓ２０３）。
【０１２４】
次に、基地局６の登録許可部６０は、抽出したＩＭＳＩが加入者情報リスト上に記載されているかを判別する（Ｓ２０４）。すなわち、基地局６の登録許可部６０は、端末５が受け入れ可能な端末かを判別する。
【０１２５】
次に、基地局６の登録許可部６０は、抽出したＩＭＳＩが加入者情報リスト上に記載されている場合、すなわち、受け入れ可能な端末である場合には、退避を許可することを示すメッセージを通信部６１に出力する（Ｓ２０５）。
【０１２６】
一方、抽出したＩＭＳＩが加入者情報リスト上に記載されていない場合には、基地局６の登録許可部６０は、上述のＳ２０５において、退避を許可しないことを示すメッセージを通信部６１に出力する。登録許可部６０が通信部６１に出力する上述の２つのメッセージを、以下、「判別メッセージ」というものとする。
【０１２７】
次に、基地局６の通信部６１は、登録許可部６０からの判別メッセージを、３ＧＰＰに準拠して無線信号とし、端末５の通信部１３に送信する（Ｓ２０６）。
【０１２８】
次に、端末５の通信部１３は、無線信号を受信すると、その無線信号から判別メッセージを３ＧＰＰに準拠して抽出し、抽出した判別メッセージを位置登録部５０に出力する（Ｓ２０７）。
【０１２９】
次に、位置登録部５０は、通信部１３から判別メッセージが入力されると、そのメッセージが、退避を許可することを示すメッセージであるか否かを判別する（Ｓ２０８）。
【０１３０】
次に、位置登録部５０は、入力されたメッセージが、退避を許可することを示すメッセージである場合、送信部５１に対して、退避許可を示す信号を出力する（Ｓ２０９）。
【０１３１】
次に、送信部５１は、退避許可を示す信号が入力されると、上述のＳ１１１〜Ｓ１１２を実施し、判定値が空き容量なしを示す値である場合には、上述のＳ１１３の通り、保存データを通信部１３に出力する。
【０１３２】
その後、端末５と基地局６の各部位が上述のＳ１１４〜Ｓ１１８、Ｓ１２０〜Ｓ１３０を実施することとなり、端末５は、データを基地局６に退避したり、基地局６から退避したデータを取得したりすることができるようになる。
【０１３３】
なお、上述のＳ２０８において、入力されたメッセージが、退避を許可しないことを示すメッセージであった場合には、位置登録部５０は、何もせず、次にメッセージが入力されるのを待つ。このとき、送信部５１は、退避許可を示す信号が入力されず、判定値が空き容量なしを示す値である場合であっても、保存データを通信部１３に出力しない。そのとき、空き容量が不足しているので、送信部５１は、保存データを破棄する。
【０１３４】
（２）基地局６と加入者情報リストについて
基地局６は、フェムトセル用の基地局であってもよい。その場合、本実施形態のシステムの管理者は、加入者情報リストとして、フェムトセル用の基地局６を自宅に設定した者とその家族の持つ端末５のＩＭＳＩを記載した周知のホワイトリストを基地局６の登録許可部６０に設定することができる。
【０１３５】
その結果、自宅に基地局６を設置した者とその家族は、自分達の家にある基地局６にデータを保存することができ、安心して、それぞれ端末５からデータを退避することができる。
【０１３６】
以上が基地局６の主な動作であるが、基地局６は、さらに、以下の複製データ保存動作を実施してもよい。
【０１３７】
（３）複製データ保存動作
（３−１）複製データ保存動作の概要
基地局６は、一般的な基地局と同様、保守者等によってリセットされる。基地局６は、リセットされると、一般的な基地局と同様、運用中に記憶したデータをクリアし、再起動する。基地局６は、端末５から退避されたデータ（端末５の退避データ）についても、運用中に記憶したデータなのでクリアしてしまう。
【０１３８】
そこで、基地局６は、運用中、端末５の退避データの複製をサーバ４に（送信して）記憶させておき、リセットされた場合には、サーバ４から端末５の退避データを取得してもよい。その場合、基地局６は、リセットされた後も、リセット前と同じように、端末５に対して、その退避データを送信することができる。
【０１３９】
（３−２）複製データ保存動作の詳細
上述の複製データ保存動作は、以下のＳ２２０〜Ｓ２２４の通りに実現することができる。図１２は、本発明の第２の実施の形態におけるシステムの動作（記憶するデータの複製をサーバに保存しておき、リセット後にサーバから取得する基地局の動作）を説明する為の図である。
【０１４０】
まず、基地局６の保管部２２は、図１２に示されるように、上述のＳ１１６の後、記憶した端末５の退避データを複製し、複製したデータとＩＭＳＩをサーバ４に送信する（Ｓ２２０）。
【０１４１】
この際、基地局６の保管部２２は、複製データとＩＭＳＩに、基地局６を示す識別子（以下、「ｅＮＢ−ＩＤ」という）を付与して送信する。基地局６を示すｅＮＢ−ＩＤは、本実施形態のシステムの管理者によって保管部２２に設定される。
【０１４２】
次に、サーバ４は、複製データ、ＩＭＳＩ、及びｅＮＢ−ＩＤを基地局６の保管部２２から受信すると、それら関連付けて、自身に備わるストレージに記憶する（Ｓ２２１）。
【０１４３】
次に、図示していないが、基地局６がリセットされたとする。
【０１４４】
基地局６の保管部２２は、リセットされたことで再起動すると、サーバ４に対して、複製データ取得を要求するメッセージ（以下、「取得要求メッセージ」という）を送信する（Ｓ２２２）。
【０１４５】
なお、上述のＳ２２２において、基地局６の保管部２２は、取得要求メッセージに基地局６のｅＮＢ−ＩＤを含めて送信する。
【０１４６】
サーバ４は、取得要求メッセージを受信すると、取得要求メッセージからｅＮＢ−ＩＤを抽出し、抽出したｅＮＢ−ＩＤと関連づけて記憶している複製データ（すなわち、端末５の退避データ）、及びＩＭＳＩを基地局６の保管部２２に送信する（Ｓ２２３）。
【０１４７】
次に、基地局６の保管部２２は、サーバ４から受信した端末５の退避データ、及びＩＭＳＩを関連づけて記憶する（Ｓ２２４）。
【０１４８】
その後、基地局６は、端末５から要求メッセージを受信すると、上述のＳ１２４〜Ｓ１２８を実施し、記憶する端末５の退避データを端末５へ送信する。
【０１４９】
端末５は、上述のＳ１２９〜Ｓ１３０を実施し、基地局６がリセットされる前と同様に、退避したデータを取得することができる。
【０１５０】
その他の動作については、第１の実施の形態の動作と同様である為、詳細の説明を省略する。
【０１５１】
［効果の説明］
本実施形態によれば、基地局は、第１の実施形態のシステムよりも実装するメモリの量を抑えることができる。なぜならば、本実施形態の基地局は、加入者情報リストに記載された、受け入れ可能な特定の端末にのみデータの退避を許可するからである。
【０１５２】
なお、データの退避を許可された端末は、直接接続する基地局にデータを退避し、その基地局から退避したデータを取得するので、第１の実施形態のシステムと同様に、高速にデータを取得することができる。
【０１５３】
また、リセットに備えて基地局が、上述のＳ２２０を実施し、端末から退避されたデータ（すなわち、退避データ）をサーバに送信したとしても、端末は、第１の実施形態のシステムと同様に、高速にデータを取得することができる。なぜなら、基地局は、サーバに退避データを送信するときは、その複製を送信し、オリジナルの退避データについては継続して記憶し続けるからである。端末は、基地局からデータを取得することができるので、高速にデータを取得することができる。
【０１５４】
なお、本実施形態の基地局は、自身を設置した者やその家族の端末のみ、データの退避を許可することもできる。
【０１５５】
≪第３の実施の形態≫
本実施形態のシステムの基地局７は、サーバから端末のデータを取得する。具体的には、基地局７は、端末が自セルに在圏した際に、その端末の退避データをサーバから取得する。基地局７は、端末から退避データを要求されたときには、その退避データを端末に送信する。
【０１５６】
上述の動作により、端末のユーザは、データを退避した基地局６以外の基地局７のセルに在圏したとしても、第１、２の実施形態のシステムと同様に、高速にデータを取得することができる。
【０１５７】
以下に、第３の実施の形態のシステムの構成と動作について説明する。図１３は、本発明の第３の実施の形態におけるシステムの構成例を示す図である。
【０１５８】
［構成の説明］
（１）第３の実施形態のシステムの構成
第３の実施形態のシステムは、図１３に示されるように、サーバ４の代わりにサーバ８を備える。また、第３の実施形態のシステムは、基地局６以外に、基地局７を備える。
【０１５９】
サーバ８は、端末５の退避データ、ＩＭＳＩ、及びｅＮＢ−ＩＤ（以下、「端末５の退避データ等」という）を関連付けて記憶している。基地局６が上述のＳ２２０〜Ｓ２２１を実施し、サーバ８は、端末５の退避データ等を記憶している状態である。
【０１６０】
（２）サーバ８の機能
サーバ８は、端末５のＩＭＳＩと基地局７のｅＮＢ−ＩＤを基地局７から受信すると、受信したＩＭＳＩとｅＮＢ−ＩＤに関連づけて記憶している端末５のデータ及びＩＭＳＩを基地局７に送信する。なお、サーバ８は、サーバ４の機能を全て備える。
【０１６１】
（３）基地局７の機能
基地局７は、端末５からデータを退避されていない基地局である。すなわち、基地局７は、端末５の退避データを記憶していない。
【０１６２】
基地局７は、自セルに在圏した端末５から周知の位置登録メッセージを受信すると、位置登録メッセージから端末５のＩＭＳＩを抽出し、そのＩＭＳＩと、自身を示すｅＮＢ−ＩＤとをサーバ８に送信する。サーバ８から端末５の退避データを取得する為である。
【０１６３】
基地局７は、サーバ８から端末５の退避データ及びＩＭＳＩを受信すると、それらを関連づけて、自身に備わるメモリに記憶する。なお、基地局７は、基地局６の機能を全て備える。
【０１６４】
（４）基地局７の構成
（４−１）基地局７の構成
図１４は、本発明の第３の実施の形態におけるシステムに備わる基地局７の構成例を示す図である。
【０１６５】
基地局７は、上述の「（３）基地局７の機能」を実現する為に、図１４に示されるように、登録許可部６０と保管部２２の代わりに、登録許可部７０と保管部７１を備える。登録許可部７０は、保管部７１と接続される。
【０１６６】
（４−２）基地局７を構成する各部位の機能
登録許可部７０は、登録許可部６０の機能を備える。さらに、登録許可部７０は、通信部６１から入力された位置登録メッセージからＩＭＳＩを抽出すると、抽出したＩＭＳＩを保管部７１に出力する。
【０１６７】
保管部７１は、保管部２２の機能を備える。さらに、保管部７１は、登録許可部７０からＩＭＳＩが入力されると、入力されたＩＭＳＩと基地局７を示すｅＮＢ−ＩＤをサーバ８に送信する。端末５の退避データとＩＭＳＩをサーバ８から取得する為である。基地局７を示すｅＮＢ−ＩＤは、本実施形態のシステムの管理者によって保管部７１に設定される。
【０１６８】
また、保管部７１は、端末５の退避データとＩＭＳＩをサーバ８から受信すると、それらを関連づけて、自身に備わるメモリに記憶する。
【０１６９】
上述した以外の構成や機能は、第２の実施の形態におけるシステムと同じであるので、同一の符号を付して説明を省略する。
【０１７０】
[動作の説明]
次に、本実施形態のシステムの動作を説明する。図１５は、本発明の第３の実施の形態におけるシステムの動作を説明する為の図である。
【０１７１】
（１）説明の為の前提状況
まず、端末５の退避データを記憶していない基地局７に端末５が在圏したとする。
【０１７２】
（１）動作の説明
上述の状況において、基地局７のセルに在圏した端末５は、図示していないが、まず、上述のＳ２００、Ｓ２０１を実施し、位置登録メッセージを無線信号として基地局７に送信する。
【０１７３】
次に、基地局７の通信部６１は、無線信号を受信すると、Ｓ２０２を実施し、無線信号から位置登録メッセージを抽出し、登録許可部７０に出力する。
【０１７４】
次に、基地局７の登録許可部７０は、図１５に示されるように、位置登録メッセージが入力されると、上述のＳ２０３を実施し、入力された位置登録メッセージからＩＭＳＩを抽出する（Ｓ２０３）。
【０１７５】
次に、登録許可部７０は、抽出したＩＭＳＩを保管部７１に出力する（Ｓ３００）。
【０１７６】
次に、保管部７１は、登録許可部７０からＩＭＳＩが入力されると、そのＩＭＳＩと、基地局７を示すｅＮＢ−ＩＤとをサーバ８に送信する（Ｓ３０１）。
【０１７７】
次に、サーバ８は、基地局７の保管部７１からＩＭＳＩとｅＮＢ−ＩＤを受信すると、受信したＩＭＳＩとｅＮＢ−ＩＤに関連づけて記憶している端末５の退避データを、受信したＩＭＳＩと共に、基地局７の保管部７１に送信する（Ｓ３０２）。
【０１７８】
次に、基地局７の保管部７１は、端末５の退避データとＩＭＳＩをサーバ８から受信すると、それらを関連づけて、自身に備わるメモリに記憶する（Ｓ３０３）。
【０１７９】
その後、基地局７は、端末５からデータを要求するメッセージ（すなわち、要求メッセージ）を受信すると、上述のＳ１２４〜Ｓ１２８を実施し、記憶している端末５の退避データを端末５に送信する。
【０１８０】
なお、基地局７の保管部７１は、上述のＳ３０３において、受信した端末５のデータ及びＩＭＳＩ（以下、「端末５のデータ等」という）と同じ端末５のデータ等をすでに記憶している場合には、受信した端末５のデータ等を記憶しなくてもよい。
【０１８１】
その他の動作については、第２の実施の形態の動作と同様である為、詳細の説明を省略する。
【０１８２】
［効果の説明］
端末のユーザは、データを退避した基地局６以外の基地局７のセルに在圏したとしても、第１、２の実施形態のシステムと同様に、高速にデータを取得することができる。
【０１８３】
なぜなら、本実施形態のシステムの基地局７は、端末が在圏したことを契機に、その端末の退避されたデータをサーバから取得し、保持するからである。
【０１８４】
≪第４の実施の形態≫
上述の第３の実施形態のシステムのサーバは、端末が在圏するセルの基地局のみに退避データを送信した。第４の実施形態のシステムのサーバは、複数の基地局に退避データを送信する。複数の基地局とは、端末が在圏するセルの基地局と、その周辺の基地局であってもよい。各基地局は、サーバからの退避データを記憶し、端末から退避データを要求されたときには、その退避データを送信する。
【０１８５】
その結果、端末のユーザは、第３の実施形態のシステムよりも広いエリアで、退避データを取得することができる。
【０１８６】
以下に、第４の実施の形態のシステムの構成と動作について説明する。図１６は、本発明の第４の実施の形態におけるシステムの構成例を示す図である。
【０１８７】
［構成の説明］
（１）第４の実施形態のシステムの構成
第４の実施形態のシステムは、図１６に示されるように、サーバ４の代わりに、サーバ１０２を備える。さらに、第２の実施形態のシステムは、基地局１００、１０１を備える。
【０１８８】
基地局１００、１０１は、移動通信網３に接続される。
【０１８９】
（２）基地局１００、１０１の機能
基地局１００、１０１は、基地局７と同じ機能を備える。なお、基地局１００、１０１は、端末５が在圏するセルの基地局７周辺の基地局である。
【０１９０】
（３）サーバ１０２の機能
サーバ１０２は、ＩＭＳＩとｅＮＢ−ＩＤを受信すると、受信したＩＭＳＩとｅＮＢ−ＩＤに関連づけて記憶しているデータとＩＭＳＩを所定の基地局１００、１０１に送信する。上述の所定の基地局は、本実施形態のシステムの管理者によってサーバ１０２に設定される。本実施形態のシステムの管理者は、基地局７周辺の基地局１００、１０１を所定の基地局として設定する。
【０１９１】
上述した以外の構成や機能は、第３の実施の形態におけるシステムと同じであるので、同一の符号を付して説明を省略する。
【０１９２】
[動作の説明]
次に、本実施形態のシステムの動作を説明する。図１７は、本発明の第４の実施の形態におけるシステムの動作を説明する為の図である。
【０１９３】
まず、サーバ１０２は、図１７に示されるように、ＩＭＳＩとｅＮＢ−ＩＤを受信すると、サーバ８と同様に、受信したＩＭＳＩとｅＮＢ−ＩＤに関連づけて記憶している端末５のデータとＩＭＳＩを基地局７の保管部７１に送信する（Ｓ３０２）。
【０１９４】
次に、サーバ１０２は、上述のＳ３０２で送信した端末５のデータとＩＭＳＩを、基地局７周辺の所定の基地局１００、１０１にも送信する（Ｓ４００）。
【０１９５】
次に、基地局７、１００、１０１の保管部７１は、サーバ１０２から端末５のデータとＩＭＳＩを受信すると、それらを関連づけ、自身に備わるメモリに記憶する（Ｓ３０３、Ｓ４０２、Ｓ４０３）。
【０１９６】
その後、図示していないが、基地局７、１００、１０１各々は、自セル配下に在圏した端末５から要求メッセージ（データを要求するメッセージ）を受信すると、上述のＳ１２４〜Ｓ１２８を実施し、記憶する端末５のデータを端末５に送信する。端末５は、上述のＳ１２９〜Ｓ１３０を実施し、直接接続する基地局７、１００、１０１から端末５のデータを取得する。
【０１９７】
端末５のユーザは、複数の基地局のセルを移動しても、その配下で、退避したデータを取得することができる。
【０１９８】
［効果の説明］
本実施形態のシステムでは、端末のユーザは、複数の基地局のセルを移動しても、その配下で、退避したデータを取得することができる。なぜなら、本実施形態のシステムでは、サーバは、端末の退避データを複数の基地局に送信し、各基地局がサーバからの退避データを保持するからである。
【０１９９】
なお、端末のユーザは、第１の実施形態のシステムと同様に、退避したデータを高速に取得することができる。なぜなら、本実施形態のシステムの端末は、第１の実施形態のシステムの端末と同様に、直接接続する基地局から、退避したデータを取得するからである。
【０２００】
≪第５の実施の形態≫
本実施形態のシステムのサーバは、端末が頻繁に在圏するセルの基地局に、その端末の退避データを送信する。各基地局は、サーバからの退避データを記憶し、端末から退避データを要求されたときには、その退避データを送信する。
【０２０１】
その結果、端末のユーザは、頻繁に在圏するセル（すなわち、頻繁に行動するエリア）において、退避したデータを取得することができる。
【０２０２】
以下に、第５の実施の形態のシステムの構成と動作について説明する。図１８は、本発明の第５の実施の形態におけるシステムの構成例を示す図である。
【０２０３】
［構成の説明］
（１）第５の実施形態のシステムの構成
第５の実施形態のシステムは、図１８に示されるように、サーバ４の代わりに、サーバ１０５を備える。さらに、第５の実施形態のシステムは、基地局１０３、１０４を備える。
【０２０４】
基地局１０３、１０４は、移動通信網３に接続される。
【０２０５】
（２）基地局１０３、１０４の機能
基地局１０３、１０４は、基地局７と同じ機能を備える。基地局７、１０３、１０４は、端末のユーザが頻繁に行動するエリア（例えば通勤経路等）に設置されている基地局である。
【０２０６】
（３）サーバ１０５の機能
サーバ１０５は、ＩＭＳＩとｅＮＢ−ＩＤを受信すると、受信したｅＮＢ−ＩＤを記憶する。サーバ１０５は、ｅＮＢ−ＩＤを記憶すると、それまでに記憶したｅＮＢ−ＩＤ毎に、その数をカウントする。例えば、サーバ１０５は、それまでに記憶したｅＮＢ−ＩＤが１０３、１０４、１０３、１０３、１０４であるときには、サーバ１０５は、ｅＮＢ−ＩＤ＝１０３については、その数を３とカウントし、ｅＮＢ−ＩＤ＝１０４については、その数を２とカウントする。
【０２０７】
ｅＮＢ−ＩＤ＝１０３は基地局１０３に対応するｅＮＢ−ＩＤであり、ｅＮＢ−ＩＤ＝１０４は基地局１０４に対応するｅＮＢ−ＩＤであるものとして以下、説明を続ける。
【０２０８】
サーバ１０５は、カウントした各ｅＮＢ−ＩＤのうち、その数が一定数以上のｅＮＢ−ＩＤを求め、そのｅＮＢ−ＩＤに対応する基地局（例えば、基地局１０３、１０４）に端末５のデータとＩＭＳＩを送信する。
【０２０９】
上述した以外の構成や機能は、第３の実施の形態におけるシステムと同じであるので、同一の符号を付して説明を省略する。
【０２１０】
[動作の説明]
次に、本実施形態のシステムの動作を説明する。図１９は、本発明の第５の実施の形態におけるシステムの動作を説明する為の図である。
【０２１１】
まず、サーバ１０５は、図１９に示されるように、ＩＭＳＩとｅＮＢ−ＩＤを受信すると、サーバ８、１０２と同様、受信したＩＭＳＩとｅＮＢ−ＩＤに関連づけて記憶している端末５のデータとＩＭＳＩを基地局７の保管部７１に送信する（Ｓ３０２）。
【０２１２】
次に、サーバ１０５は、上述のＳ３０２で受信したｅＮＢ−ＩＤを記憶する（Ｓ５００）。
【０２１３】
上述のＳ５００で記憶したｅＮＢ−ＩＤは、端末が在圏した基地局に対応するｅＮＢ−ＩＤである。
【０２１４】
次に、サーバ１０５は、ｅＮＢ−ＩＤを記憶すると、それまでに記憶したｅＮＢ−ＩＤ毎に、その数をカウントする（Ｓ５０１）。
【０２１５】
次に、サーバ１０５は、カウントした各ｅＮＢ−ＩＤのうち、その数が一定数以上のｅＮＢ−ＩＤを求める（Ｓ５０２）。
【０２１６】
上述のＳ５０２で求めたｅＮＢ−ＩＤは、端末５が一定数以上、在圏したセルの基地局（すなわち、端末のユーザが頻繁に行動するエリアの基地局）に対応するｅＮＢ−ＩＤである。以下、サーバ１０５は、ｅＮＢ−ＩＤ＝１０３、１０４を求めたものとして説明を続ける。
【０２１７】
次に、サーバ１０５は、上述のＳ５０２で求めたｅＮＢ−ＩＤ１０３、１０４に対応する基地局１０３、１０４に対して、端末５のデータとＩＭＳＩを送信する（Ｓ５０３）。
【０２１８】
次に、基地局７、１０３、１０４の保管部７１は、サーバ１０５から端末５のデータとＩＭＳＩを受信すると、それらを関連づけ、自身に備わるメモリに保存する（Ｓ３０３、Ｓ５０４、Ｓ５０５）。
【０２１９】
その後、図示していないが、基地局７、１０３、１０４各々は、自セル配下に在圏した端末５から要求メッセージ（データを要求するメッセージ）を受信すると、上述のＳ１２４〜Ｓ１２８を実施し、記憶する端末５のデータを端末５に送信する。端末５は、上述のＳ１２９〜Ｓ１３０を実施し、直接接続する基地局７、１０３、１０４から端末５のデータを取得する。
【０２２０】
端末５のユーザは、頻繁に在圏し、行動するエリア、すなわち頻繁に行動するエリア（例えば通勤経路等）にて、退避したデータを取得することができる。
【０２２１】
［効果の説明］
端末のユーザは、頻繁に行動するエリア（例えば通勤経路等）にて、退避したデータを取得することができる。なぜなら、本実施形態のシステムでは、サーバは、端末が一定数以上在圏した基地局（すなわち、頻繁に在圏するセルの基地局）にその退避データを送信し、各基地局がサーバからの退避データを保持するからである。
【０２２２】
なお、端末のユーザは、第１の実施形態のシステムと同様に、退避したデータを高速に取得することができる。なぜなら、本実施形態のシステムの端末は、第１の実施形態のシステムの端末と同様に、直接接続する基地局から、退避したデータを取得するからである。
【０２２３】
≪第６の実施の形態≫
図２０は、本発明の第６の実施の形態におけるシステムの構成例を示す図である。以下に、第６の実施の形態のシステムの構成と動作について説明する。
【０２２４】
［構成の説明］
（１）第６の実施形態のシステムの構成
第５の実施形態のシステムは、図２０に示されるように、端末２００と基地局３００を備える。基地局３００は、自セル配下の端末２００と無線回線を介して接続される。
【０２２５】
（２）端末２００と基地局３００の構成
端末２００は、判定部２０１と、送信部２０２と、要求部２０３と、取得部２０４と、記憶手段２０５と、を備える。
【０２２６】
また、基地局３００は、保管部３０１と、配信部３０２と、を備える。
【０２２７】
（３）端末２００の各部位の機能
判定部２０１は、端末２００に備わる記憶手段２０５の空き容量が所定値以下か否かを判定する。所定値は、本実施形態のシステムの管理者によって判定部２０１に設定される。
【０２２８】
送信部２０２は、判定部２０１により空き容量が所定値以下と判定された場合には、保存するデータを、自身が在圏するセルの基地局３００に送信する。
【０２２９】
要求部２０３は、所定の第１の信号が入力されると、データを要求するメッセージを基地局３００に送信する。
【０２３０】
取得部２０４は上述のメッセージに応じて基地局３００から返信されたデータを受信する。
【０２３１】
（４）基地局３００の各部位の機能
保管部３０１は、端末２００から受信したデータを記憶する。
【０２３２】
配信部３０２は、上述のデータを要求するメッセージを受信すると、保管部３０１が記憶するデータを端末２００に送信する。
【０２３３】
[動作の説明]
次に、本実施形態のシステムの動作を説明する。
【０２３４】
（１）空き容量が不足するときに基地局にデータを退避する動作
まず、端末２００本体は、保存するデータを取得したとする。
【０２３５】
このとき、端末２００の判定部２０１は、記憶手段２０５の空き容量が所定値以下か否かを判定する。
【０２３６】
次に、送信部２０２は、判定部２０１により空き容量が所定値以下と判定された場合には、保存するデータを、自身が在圏するセルの基地局３００に送信する。自身に保存ができないので、基地局３００に退避する為である。
【０２３７】
次に、基地局３００の保管部３０１は、端末２００から受信したデータを記憶する。
【０２３８】
（２）退避したデータを取得する動作
次に、端末２００の要求部２０３は、送信部２０２が保存データを基地局３００に送信した後、所定の第１の信号が入力されると、データを要求するメッセージを基地局３００に送信する。退避したデータを取得する為である。
【０２３９】
上述の所定の第１の信号は、端末２００のユーザにより、要求部２０３に入力されてもよい。その場合、端末２００のユーザは、端末２００に備わる所定のキーを押下して所定の第１の信号を要求部２０３に入力する。上述の所定のキーは、押下されると、所定の第１の信号を要求部２０３に出力するキーである。
【０２４０】
なお、所定の第１の信号は、判定部２０１から入力されてもよい。その場合、判定部２０１は、空き容量が所定値より大きいと判定した場合に、要求部２０３に所定の第１の信号を出力する。また、所定の第１の信号は、空き容量が所定値より大きいことを示す値であってもよい。
【０２４１】
次に、基地局３００の配信部３０２は、上述のデータを要求するメッセージを受信すると、保管部３０１が記憶する保存データを端末２００に送信する。
【０２４２】
次に、端末２００の取得部２０４は、上述のメッセージに応じて基地局３００から返信されたデータを受信する。
【０２４３】
次に、端末２００の取得部２０４は、受信した保存データ（画像データ）を、記憶手段２０５に保存してもよいし、端末２００の画面に表示してもよい。
【０２４４】
［効果の説明］
本実施形態によれば、端末２００のユーザは、退避したデータを保存先から、より高速に取得することができる。
【０２４５】
なぜならば、本実施形態のシステムでは、端末２００は、移動通信網を介した遠くの保存用サーバにデータを退避するのではなく、より近い基地局３００にデータを退避し、その基地局３００から退避したデータを取得するからである。
【０２４６】
なお、上述した実施の形態は、その形態に限定されるものではなく、実施段階ではその要旨を逸脱しない範囲で種々変更可能である。
【０２４７】
さらに、上記の各実施形態の一部又は全部は、以下の付記のようにも記載されうるが、以下には限られない。
（付記１）
端末に備わる記憶手段の空き容量が所定値以下か否かを判定する判定部と、
前記判定部により前記空き容量が前記所定値以下と判定された場合には、保存するデータを自身が在圏するセルの基地局に送信する送信部と、
前記送信後、所定の第１の信号が入力されると、前記データを要求するメッセージを前記基地局に送信する要求部と、
前記メッセージに応じて前記基地局から返信された前記データを受信する取得部と、
を備えることを特徴とする端末。
（付記２）
前記セルに在圏したときに送信した位置登録メッセージに応じて前記基地局から返信されたメッセージが所定のメッセージである場合に、所定の第２の信号を出力する位置登録部を備え、
前記送信部は、前記所定の第２の信号が入力されると、前記データを前記基地局に送信する、
ことを特徴とする付記１に記載の端末。
（付記３）
端末から受信したデータを記憶する保管部と、
前記データを要求するメッセージを受信すると、前記保管部が記憶する前記データを前記端末に送信する配信部と、を備える、
ことを特徴とする基地局。
（付記４）
受信した位置登録メッセージから抽出した端末識別子が所定の識別子であるときには、所定のメッセージを前記端末に出力する登録許可部を備える、
ことを特徴とする付記３に記載の基地局。
（付記５）
前記所定の識別子は、前記基地局を所有する者が保持する端末の識別子である、
ことを特徴とする付記３乃至４のいずれか１項に記載の基地局。
（付記６）
基地局が自セル配下の端末と接続され、
前記端末は、付記１乃至２のいずれか１項に記載の端末であり、
前記基地局は、付記３乃至５のいずれか１項に記載の基地局である、
ことを特徴とするシステム。
（付記７）
付記４乃至５のいずれか１項に記載の前記基地局の前記保管部と接続されたサーバを備え、
前記保管部は、前記登録許可部が抽出した前記端末識別子を前記サーバに出力し、前記サーバから入力された前記データを記憶し、
前記サーバは、前記端末識別子が入力されると、前記端末識別子と関連づけて記憶している所定のデータを前記保管部に出力する、
ことを特徴とする付記６に記載のシステム。
（付記８）
複数台の前記基地局を備え、
前記サーバは、所定の前記基地局の前記保管部に前記所定のデータを出力する、
ことを特徴とする付記７に記載のシステム。
（付記９）
前記基地局の前記保管部は、自身が備わる前記基地局を示す基地局識別子を前記端末識別子と共に前記サーバに出力し、
前記サーバは、前記基地局識別子を一定回数以上出力した前記保管部に対して、前記所定のデータを出力する、
ことを特徴とする付記７に記載のシステム。
（付記１０）
端末に備わる記憶手段の空き容量を判定する判定ステップと、
前記判定ステップにより前記空き容量が所定値以下と判定された場合には、前記端末が、保存するデータを自身が在圏するセルの基地局に送信する送信ステップと、
前記端末から受信した前記データを前記基地局が記憶する保管ステップと、
前記送信後、所定の第１の信号が入力されると、前記端末が前記データを要求するメッセージを前記基地局に送信する要求ステップと、
前記データを要求するメッセージを受信すると、前記基地局が前記保管ステップで記憶した前記データを前記端末に送信する配信ステップと、
前記メッセージに応じて前記基地局から返信された前記データを前記端末が受信する取得ステップと、を有する、
ことを特徴とするデータ保存方法。
（付記１１）
前記端末から受信した位置登録メッセージから抽出した端末識別子が所定の識別子であるときには、前記基地局が所定のメッセージを前記端末に送信する登録許可ステップを有し、
前記送信ステップは、前記所定のメッセージを受信した時に、前記端末が前記データを前記基地局に送信するステップである、
ことを特徴とする付記１０に記載のデータ保存方法。
（付記１２）
前記所定のメッセージは、退避を許可することを示すメッセージである、
ことを特徴とする付記１乃至２のいずれか１項に記載の端末。
（付記１３）
前記判定部は、前記空き容量が所定値より大きいと判定した場合には、前記所定の第１の信号を前記要求部に出力する、
ことを特徴とする付記１乃至２又は、付記１２のいずれか１項に記載の端末。
（付記１４）
前記端末識別子は、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）である。
ことを特徴とする付記３乃至５のいずれか１項に記載の基地局。
（付記１５）
前記保管部は、起動したときに前記サーバに送信した、複製データ取得を要求するメッセージに応じて前記サーバから返信された前記データを記憶し、
前記サーバは、前記複製データ取得を要求するメッセージが入力されると、前記所定のデータを前記保管部に出力する、
ことを特徴とする付記７乃至９のいずれか１項に記載のシステム。
【０２４８】
（付記１６）
前記端末の前記送信部は、前記端末を示す端末識別子と共に前記データを前記基地局に送信し、
前記基地局の保管部は、受信した前記データの複製データと前記端末識別子を前記サーバに送信し、
前記サーバは、前記基地局の保管部から受信した前記複製データを、前記端末識別子と関連づけ、前記所定のデータとして記憶する、
ことを特徴とする付記７乃至９又は、付記１５のいずれか１項に記載のシステム。
【符号の説明】
【０２４９】
１、５、２００    端末
２、６、７、１００、１０１、１０３、１０４、３００    基地局
３    移動通信網
４、８、１０２、１０５    サーバ
１０、２０１    判定部
１１    入力部
１４    記憶部
１５、２０３    要求部
１６、２０４    取得部
１２、５１、２０２    送信部
１３、２１、６１    通信部
２３、３０２    配信部
２２、７１、３０１    保管部
５０    位置登録部
６０、７０    登録許可部
８０    携帯電話
９０    保存用サーバ
２０５    記憶手段
【図１】
2016005047.tif 000003
【図２】
2016005047.tif 000004
【図３】
2016005047.tif 000005
【図４】
2016005047.tif 000006
【図５】
2016005047.tif 000007
【図６】
2016005047.tif 000008
【図７】
2016005047.tif 000009
【図８】
2016005047.tif 000010
【図９】
2016005047.tif 000011
【図１０】
2016005047.tif 000012
【図１１】
2016005047.tif 000013
【図１２】
2016005047.tif 000014
【図１３】
2016005047.tif 000015
【図１４】
2016005047.tif 000016
【図１５】
2016005047.tif 000017
【図１６】
2016005047.tif 000018
【図１７】
2016005047.tif 000019
【図１８】
2016005047.tif 000020
【図１９】
2016005047.tif 000021
【図２０】
2016005047.tif 000022